【手続補正書】
【提出日】平成19年6月5日(2007.6.5)
【手続補正１】
【補正対象書類名】特許請求の範囲
【補正対象項目名】全文
【補正方法】変更
【補正の内容】
【特許請求の範囲】
【請求項１】
電子制御装置における異常検出頻度低下原因特定方法であって、
異常検出頻度低下時、論理積で結ばれた異常検出条件をソフト書き換えによって、所定の順に非適用にして異常検出処理を実行し、ソフト書き換え前後の異常検出頻度を比較することにより異常検出頻度の低下の原因となる異常検出条件を特定することを特徴とする、異常検出頻度低下原因特定方法。
【請求項２】
電子制御装置における異常検出頻度低下原因特定方法であって、
異常検出頻度低下時、論理積で結ばれた異常検出条件をソフト書き換えによって、検出頻度低下の原因である可能性が高いものを非適用にして異常検出処理を実行し、ソフト書き換え前後の異常検出頻度を比較することにより異常検出頻度の低下の原因となる異常検出条件を特定することを特徴とする、異常検出頻度低下原因特定方法。
【請求項３】
電子制御装置における異常検出頻度低下原因特定方法であって、
異常検出頻度低下時、論理積で結ばれた異常検出条件の一つを読み出し、ソフト書き換えによって、読み出した異常検出条件のみ適用、非適用を繰り返して異常検出処理を実行し、ソフト書き換え前後の異常検出頻度を比較することにより異常検出頻度の低下の原因となる異常検出条件を特定することを特徴とする、異常検出頻度低下原因特定方法。
【請求項４】
電子制御装置における異常検出頻度低下原因特定方法であって、
異常検出頻度低下時、他の異常検出頻度が低下した異常検出処理と共通で用いられる異常検出条件が異常検出頻度の低下の原因であると特定することを特徴とする、異常検出頻度低下原因特定方法。
【請求項５】
電子制御装置における異常検出頻度低下原因特定方法であって、
異常検出条件が複数階層の条件文から成り立っている異常検出処理について、異常検出頻度低下時、各階層の条件文の次にその条件文が成立した場合に、モニタ用フラグをオンにする処理を織り込んでソフトを書き換えることにより、どの階層の条件により異常検出頻度が低下しているのかを特定した後、請求項１〜４のいずれかに記載された異常検出頻度低下原因特定方法を実行することを特徴とする、異常検出頻度低下原因特定方法。
【請求項６】
電子制御装置における異常検出頻度低下原因特定方法であって、
異常検出頻度低下時、異常検出条件をソフト書き換えによって、容易に成立する条件に変更して異常検出処理を実行し、異常検出頻度が向上した場合は、該変更した条件が異常検出頻度の低下の原因であると特定することを特徴とする、異常検出頻度低下原因特定方法。
【請求項７】
請求項１〜５のいずれかに記載された異常検出頻度低下原因特定方法を実行した後、検出頻度低下原因である条件をソフト書き換えによって容易に成立する条件に変更して異常検出処理を実行し、異常検出頻度が向上した場合は、該変更した条件が異常検出頻度の低下の原因であると特定することを特徴とする、異常検出頻度低下原因特定方法。
【請求項８】
請求項１〜５のいずれかに記載された異常検出頻度低下原因特定方法を実行した後、検出頻度低下原因である条件をソフト書き換えによって非適用にすることを特徴とする、異常検出頻度向上方法。
【請求項９】
請求項７に記載された異常検出頻度低下原因特定方法を実行した後、検出頻度低下原因である条件をソフト書き換えによって容易に成立する条件に変更することを特徴とする、異常検出頻度向上方法。
【請求項１０】
請求項１〜７のいずれかに記載された異常検出頻度低下原因特定方法を実行した後、検出頻度低下の原因をセンターに送信することを特徴とする、異常検出頻度低下原因特定方法。
【請求項１１】
請求項１〜７のいずれかに記載された異常検出頻度低下原因特定方法を実行した後、電子制御装置が、検出頻度低下の原因をセンターに送信し、センターが電子制御装置の異常検出におけるソフト書き換えによって検出頻度低下原因である条件を非適用とすることにより一時的に検出頻度を向上させることを特徴とする、異常検出頻度向上方法。
【請求項１２】
請求項１〜７のいずれかに記載された異常検出頻度低下原因特定方法を実行した後、電子制御装置が、検出頻度低下の原因をセンターに送信し、センターがソフト書き換えによって検出頻度低下原因である条件を容易に成立する条件に変更することにより一時的に検出頻度を向上させることを特徴とする、異常検出頻度向上方法。
【請求項１３】
電子制御装置における異常検出頻度低下原因特定方法であって、
異常検出頻度低下時、車両の制御を行う電子制御装置の動作状態を監視する異常検出マスタ電子制御装置が請求項１〜７のいずれかに記載された原因特定方法を実行することを特徴とする、異常検出頻度低下原因特定方法。
【請求項１４】
異常検出頻度低下時、異常検出マスタ電子制御装置が異常検出頻度が低下したと判断する他の電子制御装置に原因特定を指示し、指示された電子制御装置が請求項１〜７のいずれかに記載された原因特定方法を実行することを特徴とする、異常検出頻度低下原因特定方法。
【請求項１５】
異常検出頻度の低下時、各電子制御装置が個別に請求項１〜７のいずれかに記載された原因特定方法を実行することを特徴とする、異常検出頻度低下原因特定方法。
【請求項１６】
車両走行中、異常検出処理プログラムと、請求項１〜７のいずれかに記載された原因特定方法を実行する原因特定プログラムを同時または交互に実行することを特徴とする、異常検出頻度低下原因特定方法。
【請求項１７】
論理積で結ばれた異常検出条件に基づき異常検出を行う異常検出手段と、
異常検出の頻度の低下が検出されると異常検出条件を所定の順に非適用にして異常検出処理を実行し、ソフト書き換え前後の異常検出頻度を比較することにより異常検出頻度の低下の原因となる異常検出条件を特定する手段と、
を有することを特徴とする電子制御装置。
【手続補正２】
【補正対象書類名】明細書
【補正対象項目名】発明の名称
【補正方法】変更
【補正の内容】
【発明の名称】異常検出頻度低下原因特定方法及び異常検出頻度向上方法
【手続補正３】
【補正対象書類名】明細書
【補正対象項目名】０００７
【補正方法】変更
【補正の内容】
【０００７】
本発明は、上記の問題に鑑みてなされたもので、ダイアグ検出頻度低下時、リプロ機能を利用して、自動的にダイアグ検出部のソフト書き換えを行い、「書き換えソフトの変更内容」と「書き換え後の検出頻度の変化」から自動的にダイアグ検出頻度低下の原因特定及びダイアグ検出頻度の向上を行うことができる方法を提供することを目的とする。
【手続補正４】
【補正対象書類名】明細書
【補正対象項目名】０００８
【補正方法】変更
【補正の内容】
【０００８】
上述の目的を達成するため、本発明に係る異常検出頻度低下原因特定方法（１）は、
電子制御装置における異常検出頻度低下原因特定方法であって、
異常検出頻度低下時、論理積で結ばれた異常検出条件をソフト書き換えによって、所定の順に非適用にして異常検出処理を実行し、ソフト書き換え前後の異常検出頻度を比較することにより異常検出頻度の低下の原因となる異常検出条件を特定することを特徴とする。
【手続補正５】
【補正対象書類名】明細書
【補正対象項目名】０００９
【補正方法】変更
【補正の内容】
【０００９】
また、本発明に係る異常検出頻度低下原因特定方法（２）は、
電子制御装置における異常検出頻度低下原因特定方法であって、
異常検出頻度低下時、論理積で結ばれた異常検出条件をソフト書き換えによって、検出頻度低下の原因である可能性が高いものを非適用にして異常検出処理を実行し、ソフト書き換え前後の異常検出頻度を比較することにより異常検出頻度の低下の原因となる異常検出条件を特定することを特徴とする。
【手続補正６】
【補正対象書類名】明細書
【補正対象項目名】００１０
【補正方法】変更
【補正の内容】
【００１０】
さらに、本発明に係る異常検出頻度低下原因特定方法（３）は、
電子制御装置における異常検出頻度低下原因特定方法であって、
異常検出頻度低下時、論理積で結ばれた異常検出条件の一つを読み出し、ソフト書き換えによって、読み出した異常検出条件のみ適用、非適用を繰り返して異常検出処理を実行し、ソフト書き換え前後の異常検出頻度を比較することにより異常検出頻度の低下の原因となる異常検出条件を特定することを特徴とする。
【手続補正７】
【補正対象書類名】明細書
【補正対象項目名】００１１
【補正方法】変更
【補正の内容】
【００１１】
また、本発明に係るダイアグ検出頻度低下原因特定方法（４）は、
電子制御装置における異常検出頻度低下原因特定方法であって、
異常検出頻度低下時、他の異常検出頻度が低下した異常検出処理と共通で用いられる異常検出条件が異常検出頻度の低下の原因であると特定することを特徴とする。
【手続補正８】
【補正対象書類名】明細書
【補正対象項目名】００１２
【補正方法】変更
【補正の内容】
【００１２】
さらに、本発明に係る異常検出頻度低下原因特定方法（５）は、
電子制御装置における異常検出頻度低下原因特定方法であって、
異常検出条件が複数階層の条件文から成り立っている異常検出処理について、異常検出頻度低下時、各階層の条件文の次にその条件文が成立した場合に、モニタ用フラグをオンにする処理を織り込んでソフトを書き換えることにより、どの階層の条件により異常検出頻度が低下しているのかを特定した後、異常検出頻度低下原因特定方法（１）〜（４）のいずれかを実行することを特徴とする。
【手続補正９】
【補正対象書類名】明細書
【補正対象項目名】００１３
【補正方法】変更
【補正の内容】
【００１３】
また、本発明に係る異常検出頻度低下原因特定方法（６）は、
電子制御装置における異常検出頻度低下原因特定方法であって、
異常検出頻度低下時、異常検出条件をソフト書き換えによって、容易に成立する条件に変更して異常検出処理を実行し、異常検出頻度が向上した場合は、該変更した条件が異常検出頻度の低下の原因であると特定することを特徴とする。
【手続補正１０】
【補正対象書類名】明細書
【補正対象項目名】００１４
【補正方法】変更
【補正の内容】
【００１４】
さらに、本発明に係る異常検出頻度低下原因特定方法（７）は、
異常検出頻度低下原因特定方法（１）〜（５）のいずれかを実行した後、検出頻度低下原因である条件をソフト書き換えによって容易に成立する条件に変更して異常検出処理を実行し、異常検出頻度が向上した場合は、該変更した条件が異常検出頻度の低下の原因であると特定することを特徴とする。
【手続補正１１】
【補正対象書類名】明細書
【補正対象項目名】００１５
【補正方法】変更
【補正の内容】
【００１５】
また、本発明に係る異常検出頻度向上方法（１）は、
異常検出頻度低下原因特定方法（１）〜（５）のいずれかを実行した後、検出頻度低下原因である条件をソフト書き換えによって非適用にすることを特徴とし、
本発明に係る異常検出頻度向上方法（２）は、
異常検出頻度低下原因特定方法（７）を実行した後、検出頻度低下原因である条件をソフト書き換えによって容易に成立する条件に変更することを特徴とする。
【手続補正１２】
【補正対象書類名】明細書
【補正対象項目名】００１６
【補正方法】変更
【補正の内容】
【００１６】
さらに、本発明に係る異常検出頻度低下原因特定方法（８）は、
異常検出頻度低下原因特定方法（１）〜（７）のいずれかを実行した後、検出頻度低下の原因をセンターに送信することを特徴とする。
【手続補正１３】
【補正対象書類名】明細書
【補正対象項目名】００１７
【補正方法】変更
【補正の内容】
【００１７】
また、本発明に係る異常検出頻度向上方法（３）は、
異常検出頻度低下原因特定方法（１）〜（７）のいずれかを実行した後、電子制御装置が、検出頻度低下の原因をセンターに送信し、センターが電子制御装置の異常検出におけるソフト書き換えによって検出頻度低下原因である条件を非適用とすることにより一時的に検出頻度を向上させることを特徴とする。
【手続補正１４】
【補正対象書類名】明細書
【補正対象項目名】００１８
【補正方法】変更
【補正の内容】
【００１８】
さらに、本発明に係る異常検出頻度向上方法（４）は、
異常検出頻度低下原因特定方法（１）〜（７）のいずれかを実行した後、電子制御装置が、検出頻度低下の原因をセンターに送信し、センターがソフト書き換えによって検出頻度低下原因である条件を容易に成立する条件に変更することにより一時的に検出頻度を向上させることを特徴とする。
【手続補正１５】
【補正対象書類名】明細書
【補正対象項目名】００１９
【補正方法】変更
【補正の内容】
【００１９】
また、本発明に係る異常検出頻度低下原因特定方法（９）は、
電子制御装置における異常検出頻度低下原因特定方法であって、
異常検出頻度低下時、車両の制御を行う電子制御装置の動作状態を監視する異常検出マスタ電子制御装置が異常検出頻度低下原因特定方法（１）〜（７）のいずれかを実行することを特徴とし、
本発明に係る異常検出頻度低下原因特定方法（１０）は、
異常検出頻度低下時、異常検出マスタ電子制御装置が異常検出頻度が低下したと判断する他の電子制御装置に原因特定を指示し、指示された電子制御装置が異常検出頻度低下原因特定方法（１）〜（７）のいずれかを実行することを特徴とする。
【手続補正１６】
【補正対象書類名】明細書
【補正対象項目名】００２０
【補正方法】変更
【補正の内容】
【００２０】
さらに、本発明に係る異常検出頻度低下原因特定方法（１１）は、
異常検出頻度の低下時、各電子制御装置が個別に異常検出頻度低下原因特定方法（１）〜（７）のいずれかを実行することを特徴とし、
本発明に係る異常検出頻度低下原因特定方法（１２）は、
車両走行中、異常検出処理プログラムと、異常検出頻度低下原因特定方法（１）〜（７）のいずれかを実行する原因特定プログラムを同時または交互に実行することを特徴とする。
【手続補正１７】
【補正対象書類名】明細書
【補正対象項目名】００２１
【補正方法】変更
【補正の内容】
【００２１】
また、本発明に係る電子制御装置（１）は、
論理積で結ばれた異常検出条件に基づき異常検出を行う異常検出手段と、
異常検出の頻度の低下が検出されると異常検出条件を所定の順に非適用にして異常検出処理を実行し、ソフト書き換え前後の異常検出頻度を比較することにより異常検出頻度の低下の原因となる異常検出条件を特定する手段と、
を有することを特徴とする。
【手続補正１８】
【補正対象書類名】明細書
【補正対象項目名】００２２
【補正方法】変更
【補正の内容】
【００２２】
本発明に係る異常検出頻度低下原因特定方法（１）〜（３）及び電子制御装置（１）によれば、ソフト書き換えにより、異常検出頻度低下時、論理積で結ばれた異常検出条件を所定の順に非適用とするか、または、検出頻度低下の原因である可能性が高いものを非適用とするか、あるいは、ターゲット条件のみ適用、ターゲット条件のみ非適用が繰り返されるので、ソフトの書き換えのみで異常検出頻度の低下原因を自動的に特定することができる。
また、本発明に係る異常検出頻度低下原因特定方法（４）によれば、異常検出頻度低下時、他の異常検出頻度が低下した異常検出処理と共通で用いられる異常検出条件から異常検出頻度の低下原因が特定されるので、異常検出頻度の低下原因を容易に特定することができる。
【手続補正１９】
【補正対象書類名】明細書
【補正対象項目名】００２３
【補正方法】変更
【補正の内容】
【００２３】
さらに、本発明に係る異常検出頻度低下原因特定方法（５）によれば、異常検出条件が複数階層の条件文から成り立っている場合、異常検出頻度低下時、各階層の条件文内にモニタ用のフラグのオン処理を織り込んでソフトが書き換えられるので、どの階層の条件により異常検出頻度が低下しているのかを特定することができる。
また、本発明に係る異常検出頻度低下原因特定方法（６）、（７）によれば、ソフト書き換えにより、異常検出頻度低下時、異常検出条件が容易に成立する条件に変更されるので、上記と同様に、ソフトの書き換えのみで異常検出頻度の低下原因を自動的に特定することができる。
【手続補正２０】
【補正対象書類名】明細書
【補正対象項目名】００２４
【補正方法】変更
【補正の内容】
【００２４】
さらに、本発明に係る異常検出頻度向上方法（１）、（２）によれば、検出頻度低下原因である条件が非適用または容易に成立する条件に変更されるので、異常検出頻度低下時の原因を特定後、容易に異常検出頻度を向上することができる。
【手続補正２１】
【補正対象書類名】明細書
【補正対象項目名】００２５
【補正方法】変更
【補正の内容】
【００２５】
また、本発明に係る異常検出頻度低下原因特定方法（８）によれば、検出頻度低下の原因がセンターに送信されるので、異常検出頻度低下の詳細な原因追及と対策方法の検討が容易となる。
さらに、本発明に係る異常検出頻度向上方法（３）、（４）によれば、センターからソフト書き換えによって検出頻度低下原因である条件を非適用または検出頻度低下原因である条件が容易に成立する条件に変更されるので、一時的に異常検出頻度を向上させることができる。
【手続補正２２】
【補正対象書類名】明細書
【補正対象項目名】００２６
【補正方法】変更
【補正の内容】
【００２６】
また、本発明に係る異常検出頻度低下原因特定方法（９）〜（１１）によれば、上記の各種異常検出頻度低下原因特定方法を、車両の制御を行う電子制御装置の動作状態を監視する異常検出マスタ電子制御装置、異常検出マスタ電子制御装置の指示を受けた電子制御装置、あるいは、各電子制御装置自体により実行することができる。
さらに、本発明に係る異常検出頻度低下原因特定方法（１２）によれば、車両走行中、異常検出処理プログラムと原因特定プログラムが同時または交互に実行されるので、車両走行中であっても異常検出頻度の低下原因を特定することができる。
【手続補正２３】
【補正対象書類名】明細書
【補正対象項目名】００２７
【補正方法】変更
【補正の内容】
【００２７】
以下、本発明の異常検出頻度低下原因特定方法及び異常検出頻度向上方法の実施例について、図面を用いて説明する。
図１は本発明の異常検出頻度低下原因特定方法及び異常検出頻度向上方法を実施するＥＣＵシステムの構成を示すブロック図である。
図１に示すように、本実施例のＥＣＵシステムは、盗難検出等を行うセキュリティＥＣＵ２、エンジンの制御を行うエンジン制御ＥＣＵ３、所定の条件成立時にエンジン自動停止再始動制御を行うエコランＥＣＵ４、ランプやドアなどの制御を行うボディＥＣＵ５…といった複数のＥＣＵがネットワーク専用の通信線、コントロールエリアネットワーク（Controller Area Network、以下ＣＡＮという）６を介して接続されたネットワークを構築しており、ＣＡＮ６には、これら各ＥＣＵとは別に、ダイアグマスタＥＣＵ１が接続されている。